(57)【要約】  本発明は、包装ユニット（１）を形成するために複数の管材（２）を包囲する包装材料（５）を有する、ミネラルウール製の複数の管材（２）のための包装ユニット（１）において、包装材料（５）は、加圧下で管材（２）の周りに配置されており、管材（２）は、管材の空胴を低減させた状態で、包装ユニット（１）内で折り畳まれており、かつ管材（２）は、折り畳まれた状態で、折り畳まれていない最初の形状を回復するための回復力が溜められるように、弾力的に形成されている、包装ユニット（１）に関する。本発明の包装ユニット（１）によって、複数の管材（２）は、非常に経済的に搬送かつ保管されることができる。これに関連し、管材（２）は、管材の機能性において制限されず、むしろ、包装ユニット（１）から取り外された後、直接にかつ制限されることなく、例えば煙突を断熱するために、使用され得る。【選択図】  図１
2008540260.tif 000002
【特許請求の範囲】
【請求項１】
包装ユニット（１）を形成するための複数の管材（２）を少なくとも部分的に覆うまたは包囲する包装材料を有する、ミネラルウール製の複数の前記管材（２）のための包装ユニット（１）において、
前記包装材料が、加圧下で前記管材（２）の周りに配置され、
前記管材（２）が、前記圧力の結果として、前記管材の空胴が低減された状態で、当該包装ユニット（１）内に折り畳まれ、かつ
前記管材（２）が、前記折り畳まれた状態で、折り畳まれていない最初の形状を回復するための回復力が溜められるように、弾力的に形成されることを特徴とする、包装ユニット。
【請求項２】
二次構造で保持されるように、当該包装ユニット（１）の両端が、コンテナのような方法、すなわち５つの側面でボール箱（３、４）によって包囲されることを特徴とする、請求項１に記載の包装ユニット。
【請求項３】
包装材料としての少なくとも１つの帯封によって保持されることを特徴とする、請求項１に記載の包装ユニット。
【請求項４】
２つの帯封が、当該包装ユニット（１）の両端面の近くに配置され、かつ好ましくは、第３の帯封が中央に配置されることを特徴とする、請求項３に記載の包装ユニット。
【請求項５】
前記包装材料が、特に防水性である包装フィルムである、プラスチック製の包装フィルム（５）を有することを特徴とする、請求項１〜４のいずれか一項に記載の包装ユニット。
【請求項６】
前記包装フィルム（５）が、フィルム接合によって取り付けられていることを特徴とする、請求項５に記載の包装ユニット。
【請求項７】
前記包装フィルム（５）が、収縮包装用フィルムとして形成されることを特徴とする、請求項５に記載の包装ユニット。
【請求項８】
当該包装ユニット（１）を搬送するための、特に、前記包装材料に結合されたフィルムストリップから形成されているハンドルが設けられていることを特徴とする、請求項１〜７のいずれか一項に記載の包装ユニット。
【請求項９】
少なくとも包装ユニット（１）の１つの側面の寸法であり、かつ好ましくは、前記包装材料によって包囲されている、少なくとも１片のボール紙（３、４）が設けられていることを特徴とする、請求項１〜８のいずれか一項に記載の包装ユニット。
【請求項１０】
前記折り畳まれていない状態の管材（２）が、円形、楕円形または矩形の断面形状を有することを特徴とする、請求項１〜９のいずれか一項に記載の包装ユニット。
【請求項１１】
前記管材（２）が、主要寸法に対して折り畳まれることを特徴とする、請求項１〜１０のいずれか一項に記載の包装ユニット。
【請求項１２】
前記主要寸法が、前記管材（２）の直径であり、かつ前記管材（２）が、前記折り畳まれた状態で楕円の断面の形状をとっていることを特徴とする、請求項１１に記載の包装ユニット（１）。
【請求項１３】
当該包装ユニット（１）内の前記管材（２）が、前記ミネラルウールが大部分において圧縮されないままで残っている程度にのみ、折り畳まれることを特徴とする、請求項１〜１２のいずれか一項に記載の包装ユニット。
【請求項１４】
前記管材（２）が、前記折り畳みの方向に対して、線状に互いの背後に配置されることを特徴とする、請求項１〜１３のいずれか一項に記載の包装ユニット。
【請求項１５】
３本、４本または５本の前記管材（２）を備えることを特徴とする、請求項２に記載の包装ユニット。
【請求項１６】
前記管材（２）が、特にアルミニウムフィルムを積層されていることを特徴とする、請求項１〜１５のいずれか一項に記載の包装ユニット。
【請求項１７】
少なくとも１つの折り畳まれた管材（２）が、折り畳まれていない管材（２）の空胴内に収容または挿入されていることを特徴とする、請求項１〜１６のいずれか一項に記載の包装ユニット。
【発明の詳細な説明】
【技術分野】
【０００１】
本発明は、請求項１の総称語において定義したミネラルウール製の管材のための包装ユニットに関する。
【背景技術】
【０００２】
このような管材は、特に煙突断熱の領域、造船、または工業プラントにおける、管を断熱するための、いわゆる断熱部として使用される。これらの管材は、一般的に完全な管の形状であり、（すなわち、管の半分の形状ではない）、管材の内部に、管材の搬送および保管の間は使用されない空胴を有する。このため、大きなスペースが必要となり、結果として、管材の搬送および保管のための費用が増大してしまうことになる。
【発明の開示】
【発明が解決しようとする課題】
【０００３】
本発明の目的は、管材が、機能性の損失を被ることなく、むしろ、包装ユニットから取り外された後に、例えば煙突を断熱するために、制限されることなく使用され得る、管材の搬送および保管をより経済的にする、複数の管材のための包装ユニットを利用可能にすることである。
【課題を解決するための手段】
【０００４】
この目的は、請求項１に記載の包装ユニットにより、本発明において達成される。この包装ユニットの好ましい実施形態は、従属するサブクレームの目的である。
【０００５】
本発明によれば、ミネラルウール製の複数の管材のための包装ユニットは、管材が管材の空胴を低減させる折り畳まれた状態で包装ユニットの内に収容されるように、圧力をかけた状態で包装ユニットを形成するための、複数の管材を包囲する包装材料を備える。本発明の包装ユニットに本質的であることは、管材は、十分に弾性があり、折り畳まれた状態で、折り畳まれていない最初の形状を回復するための回復力を溜めることができるように、形成されており、その結果、圧力が取り除かれた後、管材は折りを広げ完全に管材の元の状態に戻るようになっていることである。
【０００６】
この包装ユニットを用いれば、複数の管材は、管材を折り畳むため、管材の内部の空胴が概ねゼロに低減され得るため、スペースを取らない方法で、したがって非常に経済的に、このように保管かつ搬送され得る。管材の形状に従い、折り畳みの工程は、加えて、外部の自由空間、すなわち、１本の管材の外周と、管材の外周に接触している、長方形の全体を覆っている方の外周との間に生じた断面方向の自由表面を低減させることができる。その結果、複数の管材の包装ユニット内の空胴は、したがって、非常に効率的に最小化され得る。しかし、同時に、管材を弾性的に形成することは、包装ユニットが開けられた時、繊維を破損することなく管材が即座に管材の元の形状へ完全に戻り、したがって、いかなる更なる処理段階も経ずに、例えば煙突を断熱するために、直接使用され得ることを、確実にする。
【０００７】
この包装ユニットは、内部空胴を有するあらゆる種類の管材に、特に、山形、特に矩形、楕円形、および円形の断面を有する管材に、適している。管材のための好ましい材料は、欧州特許第０３０２２６０９号に記載の組成を有する、ミネラルウールである。このようなミネラルウールは、６０〜１３０ｋｇ／ｍ３の間のかさ密度を有し、必要な弾性を備え、かつ、通常のロックウールと比較した場合、同じかさ密度に対し、格段に改善された断熱特性を有する。このミネラルは、有利なことに、ロックウールの特性とガラスウールの特性とを合わせ持ち、かつ特に１０００℃を超える融点を有する。他方では、管材が変形の間に充分な弾性回復力を溜めることが確実にされる場合には、ガラスウールまたはロックウールの管材が適切である。
【０００８】
好ましい実施形態によれば、包装材料は、プラスチック製の包装フィルムであり、特に、例えばポリエチレン、ポリプロピレンまたはポリアミドフィルムなどの、防水性フィルムである。これは、好ましくは接合により取り付けられ、または焼嵌めフィルムとして形成される。搬送を容易にするために、包装ユニット上にハンドルが設けられており、これは、特に包装材料に接続されたフィルムストリップから形成されている。
【０００９】
有利なことに、包装ユニットは、少なくとも包装ユニットの１つの側面の寸法であり、かつ好ましくは、包装材料によって包囲されている、少なくとも１片のボール紙を備える。このボール紙のおかげで、包装ユニットは、比較的堅固な形状を得、加えて、二次形状を与えられ、これにより、包装ユニットの積み重ねが容易になる。最も簡単な方法では、包装ユニットの１つの側面に、矩形領域としてボール紙を設けることができる。しかし、寸法安定性のある縁部および角が形成されるように、包装ユニットの複数の隣接する（例えば３つの）側面を包囲している実施形態が好都合である。包装ユニットが二次構造を有するように、包装ユニットの両端が箱詰めされ、すなわち、ボール紙によって５つの側面を包囲されていることが、特に好ましい。
【００１０】
更なる好ましい実施形態においては、包装ユニットは、更なるフィルム包装なしで、両側に配置された箱状のボール紙要素のみから形成されてもよい。これは、大きなコンテナに複数のこのような包装ユニットを配置するような場合、例えば、耐候および搬送保護を提供するフィルムで完全にこの大きなコンテナを包囲することにより、このフィルム包装による個々の耐候および搬送保護をしなくてすむ場合には、特に興味深いものである。
【００１１】
あるいは、包装材料は、また、管材を包囲する帯封の形状に形成されてもよく、それによって、包装された管材が外に膨らむという望ましくない効果が制限され得るように、ここに充分な数の帯封が設けられる。このような帯封は、例えば、フィルムストリップとしてまたはバレルフープとして形成されてもよく、これらの帯封は、帯封が管材へ食い込まないようにする、対応する幅を有さなければならない。特にここで好まれるのは、３つの帯封であり、このうちの２つが包装ユニットの両端部に近接して配置され、かつ、第３の帯封が中央に配置される。この包装形状は、また、個々の耐候および搬送保護が避けられ得る場合に、特に適切であり得る。
【００１２】
更なる好ましい実施形態において、包装ユニットは、管材が主要寸法に対して折り畳まれるように、形成される。この種の主要寸法は、管材が折り畳まれた状態で楕円の断面の形状をとっている状態での、管材の内径でありうる。例えば、矩形の断面を有する管材の場合、主要寸法は短辺の方である。したがって、主要寸法は、断面形状にかかわりなく、管材の内部空胴の同じ圧縮が得られることができるようにするために、最も折り畳まれてはならない側である。
【００１３】
好ましくは、包装ユニット内の管材は、ミネラルウールが大部分において圧縮されないままで残っている程度にのみ、折り畳まれる。これにより、鉱物繊維自体は壊れず、かつ、管材の弾性特性は減弱しないことが、確実になる。
【００１４】
折り畳むための圧縮以上に管材のミネラルウールが圧縮された場合には、結果として、管材の弾性特性が減弱しないことを確実にしなければならない。
【００１５】
包装ユニットの好ましい更なる展開において、管材は、折り畳みの方向に関して互いの背後に配置される、すなわち、線状に、包装ユニットができるだけ細くなるように配置され、その結果として、包装ユニットの取扱いが改善される。
【００１６】
好ましくは、１つの包装ユニットは、３本、４本または５本の管材を含み、各管材は、１ｍの長さを有する。このようにして、消費者は、相当な余剰の材料を生じさせることなく、管材によって断熱のための様々な長さを簡単に合成することができる。３本、４本または５本の管材から構成されるこれらの個々の分包（ｃｏｎｔｉｎｇｅｎｔｓ）は、したがって、材料を節減し、かつ最終的にコストを節減する、必要な管材の購買に資することになる。通常は、このような管材は、煙突の断熱に使用される。煙突は、ほとんどの場合、６〜１２ｍの間の長さである。６ｍの長さは、したがって、それぞれ３本の管材から構成される２つの包装ユニットによってカバーされることができ、７ｍの煙突長さの場合は、４本の管材から構成される１つの包装ユニットおよび３本の管材から構成される更なる１つのユニットなどによってカバーされることができるであろう。
【００１７】
更なる利点となるのは、アルミ箔を管材の外部および／または内部に積層することである。この積層は、一方では、例えば互いに対して直接に置く場合などに、管材を保護し、他方では、折り畳まれた管材を折り畳まれていない管材に挿入することを可能にし、したがって、更なるスペース節減を可能にすることに役立つ。
【００１８】
本発明の目的の更なる特徴および利点は、見本としての実施形態および図面の以下の詳細な説明から明らかにされる。
【発明を実施するための最良の形態】
【００１９】
図１において、５本の管材２を有する包装ユニット１の見本としての実施形態の略図が見られるであろう。管材２は、包装されていない状態では、円形断面を有しており、この円形断面は、２つのボール紙カバー３、４と、これらのボール紙カバーおよび管材２を包囲している包装フィルム５（図１に黙示的にのみ示されている）とに組み込まれることにより、楕円形状に低減されている（図２を参照）。包装フィルム５は、ポリエチレンから作成されており、この包装フィルムは、ボール紙カバー３、４および管材２の上を滑らせた後、熱を加えることによって縮ませてあり、したがって、管材２、ボール紙カバー３、４および包装フィルム５が共に包装ユニット１を形成するように、管材２およびボール紙カバー３、５に圧力をかけている。
【００２０】
折り畳まれた管材２は、折り畳む方向において線状に互いの背後に直接に配置され（図２を参照）、かつ、管材の端面は、それぞれ共にボール紙３、４によってカバーされ、ボール紙３、４がまた、管材の周囲側面の一部を包んでいる。ボール紙カバー３、４は、包装ユニット１に関し、結果として二次形状が生じるように、箱形状を有しており、包装ユニット１は、全ての側面の上に容易に積み重ねることができる。
【００２１】
折り畳まれていない状態において、管材２は、長さ１ｍ、外径１７ｃｍを有し、かつ、壁厚は２ｃｍである。包装ユニット１において、管材２は、楕円形に折り畳まれ、一方の軸は、およそ６ｃｍの外形寸法を有し、その一方で、他方の軸は、およそ２５ｃｍの外形寸法を有する。包装ユニット１の体積は、２５ｃｍ×（５×６ｃｍ）×１ｍ＝０．０７５ｍ３である。折り畳まれていない管材２は、１７ｃｍ×（５×１７ｃｍ）×１ｍ＝０．１４４５ｍ３の体積を有する。減容は、したがって、およそ４８％である。
【００２２】
管材２は、共に完全に折り畳まれておらず、むしろ２ｃｍ幅の内側の空洞が残存していることが、容易に分かるであろう。採用したミネラルウールの品質が欧州特許第０３０２２６０９号に従った組成を有するために、管材２は、折り畳みの地点において鉱物繊維の設定を破壊することなく、さらに折り畳むことさえ可能である。試験により、この材料の管材２は、長期間にわたっても充分な弾性回復力を溜め、その結果、包装ユニット１から取り外された後、管材２は、管材の元の形状に戻り、直ちにかつ伸ばしや整形などの更なる処理段階なしで、例えば煙突において断熱を目的として使用され得ることが、確認されている。
【００２３】
鉱物繊維を圧縮せずに最大に折り畳んだ場合、すなわち、内側の空洞をなくして折り畳んだ場合、提示した実施形態における一方の軸の外形寸法は、したがって４ｃｍとなり、その一方では、他方の軸の外形寸法は、事実上不変のままで２５ｃｍ程度である。包装ユニット１の体積は、この場合、２５ｃｍ×（５×４ｃｍ）×１ｍ＝０．０５ｍ３となり、減容は、したがっておよそ６５％に達するが、これは、全「圧縮度」１：２．８９に相当する数値である。
【００２４】
当然、消費者が、複雑でない様式でかつ大量の余剰材料を発生させることなく、断熱の適切な長さを得ることができるように、管材２の他の数の分包、例えば３本または４本などを、包装ユニット１に組み込むことが可能である。さらに、本発明の包装ユニット１は、また、管材２が、管材の元の形状を回復するためにちょうど充分な弾性回復力を形成することが可能であるならば、他のあらゆる管材の寸法および断面形状にも適している。
【００２５】
上記の通り熟考した結果、本発明の包装ユニット１を用いれば、複数の管材２は、非常に経済的に搬送かつ保管され得ると言える。これに関連し、管材２は、管材の機能性において制限されず、むしろ、包装ユニット１から取り外された後、直接にかつ制限されることなく、例えば煙突を断熱するために使用され得る。
【図面の簡単な説明】
【００２６】
【図１】５本の管材を含む包装ユニットである。
【図２】請求項１に記載の包装ユニットを貫く水平断面図である。
【図１】
2008540260.tif 000003
【図２】
2008540260.tif 000004
【国際調査報告】
2008540260.tif 000005
2008540260.tif 000006
2008540260.tif 000007